(57)【要約】【課題】元の状態に戻りやすく、且つ空気の呑み込み現象が発生しにくい弾性体を配設した、ボールペンのキャップを提供する。【解決手段】ボールを回転自在に抱持したボールペンチップのチップ先端部を密閉する弾性体を配設してなるボールペンのキャップにおいて、前記弾性体が、チップ先端部に当接する部分が所望の肉圧を有し、チップ先端部の当接する側の面及びその反対側の面がチップ先端部側に突出しているとともに、前記チップ先端部の当接する側の面を略円弧形状とする。【選択図】        図１
2004338315.tif 000002
【特許請求の範囲】
【請求項１】
ボールを回転自在に抱持したボールペンチップのチップ先端部を密閉する弾性体を配設してなるボールペンのキャップにおいて、前記弾性体が、チップ先端部に当接する部分側に突出した、縦断面が略Ｕ字状とするとともに、少なくともチップ先端部に当接する面が円弧形状であることを特徴とするボールペンのキャップ。
【発明の詳細な説明】
【０００１】
【発明の属する技術分野】
本発明は、チップ先端部を密閉する弾性体を配設したボールペンのキャップに関する。
【０００２】
【従来の技術】
従来から、インキ収容筒や軸筒の内部に低粘度の水性インキや剪断減粘性を付与したインキを直詰めにしたボールペンでは、軸筒にキャップを装着した状態でも、内圧の上昇やチップ先端部を下向きにしておくとチップ先端部からインキが漏れてしまう。そのため、キャップの内孔にゴム等からなる弾性体を配設し、キャップを装着した際に、チップ先端部を弾性体に圧接し、弾性体を圧縮変形させてチップ先端部を密封することにより、前記インキ漏れを防止する筆記具のキャップは知られている。
【０００３】
こうしたチップ先端部を密閉する弾性体としては、実公平５−３３４６号公報「筆記具のキャップ」で開示されている球状の弾性体や、実用新案登録第２５６６６６４号公報「塗布具」で開示されている、チップ先端部と当接する面と反対側に窪みを有する、縦断面が略Ｈ字形状であり、且つチップ先端部との当接面が平坦状及び球状の弾性体等が知られている。
【０００４】
【特許文献１】
「実公平５−３３４６号公報」
【特許文献２】
「実用新案登録第２５６６６６４号公報」
【０００５】
【発明が解決しようとする課題】
しかし、従来の弾性体において、前者の球状の弾性体は、チップ先端部を弾性体に圧接し、弾性体の圧縮変形のみによって、チップ先端部を密閉しているので、キャップをしたままの状態で長期保存すると弾性体が変形した状態を維持してしまい、元の球状に戻りにくくなり、次にキャップをする時にチップ先端部を密閉しにくかった。
【０００６】
また後者のチップ先端部と当接する面と反対側に窪みを有する、縦断面が略Ｈ字形状は、チップ先端部と当接する面と反対側に窪みを有するため、弾性体の圧縮変形及び構造からくる弾発力によって、元の状態に戻りやすいが、チップ先端部を弾性体に圧接した時に、チップ先端部との当接する面（横棒）と他の面（縦棒）との接合部が引張られ、圧接力が高い場合には、接合部がひび割れたり、酷い場合には切れてしまう恐れがある。
【０００７】
また、当接面が平坦状の弾性体は、チップ先端部との当接部が平坦状であり、先端がボールで、かつボールペンチップが、先端に向かって徐々に縮径しているので、圧入力不足によって完全に密閉できない問題があった。また、急激にチップ先端部を密閉すると、弾性体とチップ先端部との間の空気が、ボールとチップ先端部の内壁との間から進入する、いわゆる空気の呑み込み現象が発生する問題があった
【０００８】
本発明は上記問題を鑑み、元の状態に戻りやすく、且つ空気の呑み込み現象が発生しにくい弾性体を配設した、ボールペンのキャップを提供するものである。
【０００９】
【課題を解決するための手段】
前記目的を達成するために本発明では、ボールを回転自在に抱持したボールペンチップのチップ先端部を密閉する弾性体を配設してなるボールペンのキャップにおいて、前記弾性体が、チップ先端部に当接する部分側に突出した、縦断面が略Ｕ字状とするとともに、少なくともチップ先端部に当接する面を円弧形状とする。
【００１０】
本発明における弾性体は、チップ先端部に当接する部分側に突出した、縦断面が略Ｕ字状を有していれば、略Ｍ字状、内部を空間とした略Ｏ字状であってもよい。
【００１１】
また、弾性体は、弾性変形可能な天然ゴム、シリコーンゴム、ブチルゴム、フッ素ゴム、塩化ビニル樹脂、ブタジエンゴム、ウレタンゴム、ポリエチレン樹脂、その他合成ゴム等、一般的に知られている弾性体のなかから、チップ先端部の材質や構造、インキの成分等に応じて適宜選定すればよい。
【００１２】
【発明の実施の形態】
本発明の実施の形態を、図面を用いて説明する。
図１、図２に示す、第１の実施の形態のボールペンのキャップ１は、キャップ本体２の開口部２ａ内面に、軸筒６に設けた突部７と係合する突起部４が設けてあり、先端部２ｂは、弾性体３が装着されるように段部を形成してある。キャップ本体２にはクリップ５が一体に形成されている。
【００１３】
キャップ本体２内に弾性体３が装着された状態で、図示はしていないが、インキ収容筒の先端部に、ボールを回転自在に抱持したボールペンチップ９を装着したボールペンレフィルを、把持部に凹凸部８を有する軸筒６内に収容し、この軸筒６とキャップ２を嵌合すると、先ず、チップ先端部９ａに当接する部分側に突出した、縦断面が略Ｕ字状で、チップ先端部に当接する面３ａが円弧形状の弾性体３が、チップ先端部９ａに当接し、さらに嵌合が進むと、チップ先端部９ａが弾性体３に圧接し、略Ｕ字状の弾性体３が変形することによりチップ先端部９ａを密閉する。チップ先端部９ａに当接する面３ａが円弧形状にすることにより、急激にチップ先端部９ａを覆うことがないので、装着に伴う、チップ内への空気の呑み込みが発生しにくい。
【００１４】
また、軸筒６からキャップ１を外すと、弾性体３自体の復元力及び弾性体３の縦断面が略Ｕ字状としてあるので構造的な弾性力によって、元の形状に復元する。さらに、圧接力が高くなっても、過度に付加が加わる部分がないので弾性体３にひび割れ等が発生しにくい。
【００１５】
図３に示す、第２の実施の形態のボールペンのキャップ２１は、弾性体２３の縦断面の一部に略Ｕ字状を含む略Ｍ字状とし、チップ先端部に当接する面２３ａを円弧形状とした以外は、第１の実施の形態と同様にして、キャップ本体２２の開口部２２ａ内面に、軸筒６に設けた突部７と係合する突起部２４が設けてあり、先端部２２ｂは、弾性体２３が装着されるように段部を形成してある。弾性体２３の縦断面が略Ｍ字状とすることで、より構造による弾性力が向上するので、キャップを外した時の復元力を高めることができる。
【００１６】
図４に示す、第３の実施の形態のボールペンのキャップ３１は、弾性体３３の縦断面の一部に略Ｕ字状を含む、内部に空間３３ｂを有する略Ｏ字状とし、チップ先端部に当接する面３３ａを円弧形状とした以外は、第１の実施の形態と同様にして、キャップ本体３２の開口部３２ａ内面に、軸筒６に設けた突部７と係合する突起部３４が設けてあり、先端部３２ｂは、弾性体３３が装着されるように段部を形成してある。弾性体３３の縦断面が略Ｏ字状とするには、球体状や筒状とすればよいが、球体状とすることで、方向性を有しないので、組立性を向上することができる。
【００１７】
本実施例では、便宜上、キャップと軸筒の嵌合方法として突部と突起部の乗り越え嵌合を用いたが、凹凸嵌合、圧入嵌合等、一般的に知られているキャップと軸筒の嵌合方法を用いることができる。また、キャップと本体を完全に装着した状態で、弾性体が圧縮変形し、チップ先端部を密封することができれば、チップ先端部と弾性体の接触時期は特に限定されない。
【００１８】
【発明の効果】
本発明は、前述した構成なので、元の状態に戻りやすく、且つ空気の呑み込み現象が発生しにくい弾性体を配設した、ボールペンのキャップを提供することができた。
【図面の簡単な説明】
【図１】第１実施の形態を示す、キャップの拡大縦断面図である。
【図２】キャップを軸筒に装着した状態の、一部省略した拡大縦断面図である。
【図３】第２の実施の形態を示す、キャップの拡大縦断面図である。
【図４】第３の実施の形態を示す、キャップの拡大縦断面図である。
【符号の説明】
１、２１、３１  ボールペンのキャップ
２、２２、３２  キャップ本体
２ａ、２２ａ、３２ａ  キャップ後端開口部
２ｂ、２２ｂ、３２ｂ  キャップ先端部
３、２３、３３  弾性体
４、２４、３４  突部
６  軸筒
７  凸部
９  チップ先端部
【図１】
2004338315.tif 000003
【図２】
2004338315.tif 000004
【図３】
2004338315.tif 000005
【図４】
2004338315.tif 000006